(57)【特許請求の範囲】
【請求項１】
所定の隙間を保って対向配置されている一対のヨークと、
前記一対のヨークの一方の対向面に固着されているマグネットと、
シャーシ上に回転自在に軸支されているキャリッジと、
前記キャリッジの一端に装備されているアームと、
前記キャリッジの他端に装備されているコイルと、
前記アームの先端部に搭載されている磁気ヘッドと、
前記アームの基端部に設けられている突起部とを備え、
前記一対のヨークと前記マグネットとにより構成される磁気回路内に前記コイルが配置されており、前記コイルの移動領域に対応するように円弧状に前記マグネットが形成されており、前記コイルの移動方向に沿った前記マグネットの一端と他端とがそれぞれＮ極、Ｓ極とされており、加工時に組織が変化し幾分かの磁性を有するようになる非磁性材料で前記突起部が形成されており、前記非磁性材料の成形加工時に帯磁された前記突起部が前記コイル側へ伸びており、
前記コイルに発生する駆動力により軸芯廻りに前記キャリッジが回転して、磁気ディスク上とその近傍に配置したランプ上の待機位置とにわたって前記アームの先端部が移動して、前記アームの先端部が前記待機位置に配置されたときに、前記マグネットの両極の境界部分に前記突起部が配置されて、前記突起部が前記マグネットで吸引されて、前記キャリッジの回転が一定方向に維持されて、前記アームの先端部が前記待機位置に向けて付勢される
磁気ディスク装置。
【請求項２】
前記アームと前記突起部とを前記非磁性材料で一体に形成した請求項１記載の磁気ディスク装置。
【発明の詳細な説明】
【０００１】
【発明の属する技術分野】
本発明は、磁気ディスク装置に関するものである。
【０００２】
【従来の技術】
図４に示すように、従来の磁気ディスク装置１においては、磁気ディスク２を保持するディスククランプ３と、磁気ディスク２を回転させるスピンドルモータ（図示せず）と、磁気ディスク２に情報を記録再生する磁気ヘッド（図示せず）を搭載したキャリッジ４と、キャリッジ４を介して磁気ヘッドを移動させるアクチュエータ（ボイスコイルモータ（ＶＣＭ））５とが、シャーシ６上に設置されている。
【０００３】
キャリッジ４は、磁気ヘッドを支持するサスペンション部７を有したアーム部８を一端に装備しており、シャーシ６上に軸部９により回転自在に軸支されている。
【０００４】
アクチュエータ５は、キャリッジ４の他端に装備されたコイル１０と、このコイル１０に磁界を作用させるための磁気回路とで構成されている。この磁気回路は、キャリッジ４の他端が内部で移動可能な所定の隙間にて対向配置された一対のヨーク１１、およびその一方の対向面に固着されたマグネット１２により形成されている。したがって、コイル１０に電流を流すと、コイル１０に駆動力が発生して、キャリッジ４を軸部９の軸芯廻りに回転させ、磁気ヘッドを支持したサスペンション部７を移動させる。１１ａはヨーク１１どうしの間に隙間を形成するシャフトであり、１１ｂはシャフト１１ａに外嵌されキャリッジ４の過度の回転を抑止するストッパであり、それぞれ１対ある。
【０００５】
磁気ディスク２の側方であってサスペンション部７の先端部が移動する円周上には、その周方向に沿って上り勾配、下り勾配をなすランプ１３が設けられており、磁気ディスク装置１の非動作時に、サスペンション部７の先端のロードタブ７ａがランプ１３の頂部を乗り越えた待避位置１３ａに移動し、サスペンション部７（したがって磁気ヘッド）を磁気ディスク２上から待避させる。
【０００６】
サスペンション部７を磁気ディスク２上から待避させるアンロード時の最も悪い条件は、磁気ディスク装置１に供給されている電源がアクシデントにより急に切れることである。この時には、慣性の力で回転し続けているスピンドルモータの逆起電力がコイル１０に供給され、このコイル１０の駆動力を得てキャリッジ４が回転し、サスペンション部７（したがって磁気ヘッド）を待避位置１３ａに配置する。
【０００７】
ただし、磁気ディスク装置１が小型である場合には、磁気ディスク２が小径で軽量であるため、慣性が小さく、スピンドルモータの回転が短時間となり、十分な逆起電力が得られない。よって、サスペンション部７のロードタブ７ａをランプ１３の傾斜を上昇させるための補助力が必要となる。
【０００８】
このために、図５，図６にも示したように、キャリッジ４の他端の外周縁部であって磁気ディスク２側の側縁部である角部に、磁性材からなるロックパーツ１４が設けられるとともに、ストッパ１１ｂの近傍であってキャリッジ４の外周縁部に対向する位置と、キャリッジ４の側縁部に対向する位置とに、ゴム又は樹脂で覆われたマグネット１５，１６が配置されている。
【０００９】
これにより、電源の急オフ時に、マグネット１５がロックパーツ１４を吸引し、この吸引力がコイル１０に発生する駆動力に加えられ、ロードタブ７ａがランプ１３を確実に乗り越える。装置１の非動作時（磁気ヘッド待避時）には、外部からの衝撃によって磁気ヘッドが磁気ディスク２上へ移動しないように、マグネット１６がロックパーツ１４を吸引し、キャリッジ４をロックする。
【００１０】
【発明が解決しようとする課題】
しかしながら近年、磁気ディスク装置の高性能化並びに小型化の要求が厳しくなってきており、上記したようなマグネット１５，１６を設置するスペースの確保が困難になってきた。設置スペースを確保するためにマグネット１５，１６を小さくすることが考えられるが、取り扱いが困難になる。
【００１１】
本発明は上記課題を解決するもので、磁気ヘッドを搭載したキャリッジをアンロード時や非動作時に待避位置に配置できる、小型対応のロック機構を備えた磁気ディスク装置を提供することを目的とする。
【００１２】
【課題を解決するための手段】
上記課題を解決するために本発明に係わる磁気ディスク装置は、所定の隙間を保って対向配置されている一対のヨークと、前記一対のヨークの一方の対向面に固着されているマグネットと、シャーシ上に回転自在に軸支されているキャリッジと、前記キャリッジの一端に装備されているアームと、前記キャリッジの他端に装備されているコイルと、前記アームの先端部に搭載されている磁気ヘッドと、前記アームの基端部に設けられている突起部とを備え、前記一対のヨークと前記マグネットとにより構成される磁気回路内に前記コイルが配置されており、前記コイルの移動領域に対応するように円弧状に前記マグネットが形成されており、前記コイルの移動方向に沿った前記マグネットの一端と他端とがそれぞれＮ極、Ｓ極とされており、加工時に組織が変化し幾分かの磁性を有するようになる非磁性材料で前記突起部が形成されており、前記非磁性材料の成形加工時に帯磁された前記突起部が前記コイル側へ伸びており、前記コイルに発生する駆動力により軸芯廻りに前記キャリッジが回転して、磁気ディスク上とその近傍に配置したランプ上の待機位置とにわたって前記アームの先端部が移動して、前記アームの先端部が前記待機位置に配置されたときに、前記マグネットの両極の境界部分に前記突起部が配置されて、前記突起部が前記マグネットで吸引されて、前記キャリッジの回転が一定方向に維持されて、前記アームの先端部が前記待機位置に向けて付勢されることを特徴とする。つまり、金属を曲げたり切断したりすると、その組成が変わり、自然に磁性を帯びることを利用するのである。これによれば、キャリッジの回動範囲（したがって高磁束部分の位置）やランプの形状等に応じて、アンロード時にアームの先端部をランプ斜面を上昇させるための動力の補助と、非動作時のキャリッジのロックとの、少なくとも一方を行うことができる。よって、特別な設置スペースを要さない、小型装置に対応するロック機構を実現できる。
【００１４】
なお、前記アームと前記突起部とを前記非磁性材料で一体に形成してもよい。これによれば、アームと突起部とを別パーツとすることなく構成しながらも、突起部に、キャリッジの回転を一定方向に維持する機能を持たせることができる。
【００１５】
【発明の実施の形態】
以下、本発明の実施の形態を、図面を参照しながら説明する。
図１において、本発明の一実施形態における磁気ディスク装置は、先に図５を用いて説明した従来の磁気ディスク装置とほぼ同様の構成を有しているので、従来のものと同様の作用を有する部材に図５と同じ符号を付して説明を省略する。
【００１６】
この磁気ディスク装置１が従来のものと異なるのは、従来のロックパーツ、マグネットに代えて、磁気回路を構成するマグネット１２に吸引される突起部１７をキャリッジ４に設けて、ロック機構としている点である。
【００１７】
キャリッジ４について詳述すると、キャリッジ４は、磁気ヘッドを支持するサスペンション部７を搭載したアーム部８を一端に装備し、他端にコイル１０を装備し、アーム部８の基端部を貫通する軸部９によりシャーシ６上に回転自在に軸支されている。そして、アーム部８の基端縁部に、図２に示すような、軸穴８ａの径方向に沿って外方へ伸びる上記突起部１７が形成されている。この突起部１７は非磁性材からなり、磁性材からなるアーム部８に取りつけられている。なお、請求項１では、サスペンション部７とアーム部８とを併せてアームと称している。
【００１８】
図３(a)(b)にも示すように、磁気回路を構成するマグネット１２は、軸部９の軸芯廻りに回転するキャリッジ４上のコイル１０の移動領域に対応するように円弧状に形成され、キャリッジ４の移動方向に沿った一端と他端がそれぞれＮ極、Ｓ極とされている。したがって、斜線で図示した両極の境界部分が高磁束部分１２ａとなっている。これを勘案して、サスペンション部７のロードタブ７ａがランプ１３の斜面を登りきった位置で、それに背反するアーム部８の基端部の突起部１７がマグネット１２の高磁束部分１２ａに位置するように、突起部１７が作られている。
【００１９】
このため、アンロード時にサスペンション部７のロードタブ７ａがランプ１３の斜面を昇り始めると、突起部１７をマグネット１２の高磁束部分１２ａが吸引する。この吸引力自体は小さな力であるが、ロードタブ７ａをランプ１３の斜面上へ押し上げるのに大きく寄与し、そのためサスペンション部７は確実にランプ１３の頂部を越え待避位置１３ａへ導かれる。
【００２０】
また装置１の非動作時、サスペンション部７が既に待避位置１３ａへ導かれた状態で、振動等が加わると、マグネット１２が突起部１７を吸引してキャリッジ４の回転を一定方向に維持し、キャリッジ４をロックする。よって、サスペンション部７は確実に待機位置に維持される。
【００２１】
したがって、従来の磁気ディスク装置に比べて設置スペースを要さないロック機構を実現できる。
なお、キャリッジ４の回動範囲やランプ１３の斜面の傾斜度などによっては、アンロード時にアーム部８の先端部をランプ１３の斜面を上昇させるための動力の補助と、非動作時のキャリッジ４のロックとの、いずれか一方のみを行うことになる。
【００２２】
また、上記した実施の形態では、突起部１７を磁性材で形成し、非磁性材からなるアーム部８に取りつけているが、非磁性材であっても、たとえばＳＵＳ３０４などのＳＵＳ３００系では、加工時に組織が変化し幾分かの磁性を有するようになる。したがって、アーム部８と突起部１７とを非磁性材を用いて一体に形成してもよく、この場合も、突起部１７をマグネット１２の高磁束部分１２ａへ吸引できる。
【００２３】
【発明の効果】
以上のように本発明によれば、アームの基端部に突起部を設けるという簡単な構成で、アンロード時の駆動力の補助や非動作時のキャリッジのロックが可能となり、特別な設置スペースを必要とせず、部品点数を増やすことなく、小型装置に対応するロック機構を実現できる。
【図面の簡単な説明】
【図１】本発明の実施の形態における磁気ディスク装置の斜視図
【図２】図１の磁気ディスク装置における磁気ヘッドを搭載したアームの拡大図
【図３】図１の磁気ディスク装置のキャリッジおよびアクチュエータの(a) アンロード時の状態、(b) 装置非動作時の状態を示す説明図
【図４】従来の磁気ディスク装置の斜視図
【図５】アンロード時における図４の磁気ディスク装置のキャリッジおよびアクチュエータの状態を示す説明図
【図６】装置非動作時における図４の磁気ディスク装置のキャリッジおよびアクチュエータの状態を示す説明図
【符号の説明】
１  磁気ディスク装置
２  磁気ディスク
４  キャリッジ
７  サスペンション部
８  アーム部
10  コイル
11  ヨーク
12  マグネット
13  ランプ
17  突起部
【図１】
0004666803.tif 000002
【図２】
0004666803.tif 000003
【図３】
0004666803.tif 000004
【図４】
0004666803.tif 000005
【図５】
0004666803.tif 000006
【図６】
0004666803.tif 000007